(57)【要約】      （修正有）【課題】電源搬送波で色温度／色をコントロールするＬＥＤ灯駆動装置を提供する。【解決手段】調光器モジュールとＬＥＤ灯色温度／色出力コントローラーの間において、同期及び調光器動作検知モジュールが調光器モジュール１の動作かＯＮ／ＯＦＦスイッチ動作であるかを識別する。ＬＥＤ灯色温度／色出力コントローラーは、スイッチカウンタの選択した動作に基づき、色温度値の信号を出力し、ＬＥＤ灯アレイに環境が必要とする色温度または色を出力させる。輝度を変調させたい場合は、調光器モジュールが出力する位相角を調整変更し、調光可能なＬＥＤ灯駆動回路２を介して、交流信号を直流信号に変換し、出力電流の大きさを出力し、ＬＥＤ灯アレイの色温度または色の輝度をコントロールする。【選択図】図１
0003177646.tif 000002
【実用新案登録請求の範囲】
【請求項１】
調光器モジュール、調光可能なＬＥＤ灯駆動回路、電源供給回路、ＬＥＤ灯アレイ、スイッチカウンタ、同期及び調光器動作検知モジュール、ＬＥＤ灯色温度／色出力コントローラー、ＬＥＤ灯出力バッファを含む電源搬送波で色温度／色をコントロールするＬＥＤ灯駆動装置において、
前記調光器モジュールは、それぞれを調光可能なＬＥＤ灯駆動回路及びスイッチカウンタの入力端に接続し、
前記調光可能なＬＥＤ灯駆動回路は、その入力端をそれぞれ調光器モジュールの出力端とスイッチカウンタの入力端に接続し、調光可能なＬＥＤ灯駆動回路の出力端は、それぞれＬＥＤ灯アレイと電源供給回路の入力端に接続し、
前記電源供給回路は、その入力端をそれぞれ調光可能なＬＥＤ灯駆動回路の出力端とＬＥＤ灯アレイの入力端に接続し、電源供給回路の電源出力端をそれぞれスイッチカウンタ、同期及び調光器動作検知モジュール、ＬＥＤ灯色温度／色出力コントローラー、ＬＥＤ灯出力状態メモリ、及びＬＥＤ灯出力バッファの入力端に接続し、
前記ＬＥＤ灯アレイは、その入力端をそれぞれ調光可能なＬＥＤ灯駆動回路の出力端と電源供給回路の入力端に接続し、ＬＥＤ灯アレイの出力端をＬＥＤ灯出力バッファの入力端に接続し、
前記スイッチカウンタは、その入力端をそれぞれ調光器モジュールの出力端と調光可能なＬＥＤ灯駆動回路の入力端に接続し、スイッチカウンタの出力端をそれぞれＬＥＤ灯色温度／色出力コントローラー及び同期及び調光器動作検知モジュールの入力端に接続し、
前記同期及び調光器動作検知モジュールは、その入力端をスイッチカウンタの出力端に接続し、同期及び調光器動作検知モジュールの出力端をＬＥＤ灯色温度／色出力コントローラーの入力端に接続し、
前記ＬＥＤ灯色温度及び色出力コントローラーは、その入力端をそれぞれスイッチカウンタの他の一つの出力端及び同期及び調光器動作検知モジュールの出力端に接続し、ＬＥＤ灯色温度／色出力コントローラーのデータ送受信端はＬＥＤ灯出力状態メモリとＬＥＤ灯出力バッファの他の一つの入力端に接続し、前記ＬＥＤ灯色温度／色出力コントローラーはＬＥＤ灯出力状態メモリに対するデータの読込／書込機能を備え、
前記ＬＥＤ灯出力バッファは、その入力端をそれぞれＬＥＤ灯アレイとＬＥＤ灯色温度／色出力コントローラーの出力端に接続して、ＬＥＤ灯色温度／色出力コントローラーの出力信号を受信し、並びに、ＬＥＤ灯アレイの色温度または色信号出力を制御し、
これにより、調光器モジュールの起動または停止動作時に電源信号を出力し、調光器モジュールと色温度／色出力コントローラーの間において、同期及び調光器動作検知モジュールが調光器モジュールの動作かＬＥＤ灯色温度／色出力コントローラーの動作かを識別し、
ＬＥＤ灯色温度／色出力コントローラーはスイッチカウンタが選択した動作に基づき、色温度値の信号を出力し、ＬＥＤ灯アレイは環境が必要とする色温度または色を発し、
輝度を変調させたい場合は、調光器モジュールが出力電流の位相角を変更して出力電流の大きさを変え、調光可能なＬＥＤ灯駆動回路は、交流を直流信号に変換してＬＥＤ灯色温度／色出力コントローラーの出力パワーの大きさを制御し、ＬＥＤ灯アレイの色温度または色の輝度を変調し、これにより、ＬＥＤ灯色温度／色出力コントローラーの出力する信号は調光器モジュールの出力電流変更の影響を受けず、光源を発する際に安定した輝度変調機能を提供し、光源の点滅及び色、色温度の偏りを防ぐことを特徴とする電源搬送波で色温度／色をコントロールするＬＥＤ灯駆動装置。
【請求項２】
前記スイッチカウンタのプッシュサイクル一周には必ずリセット機能を備え、これにより、各プッシュ動作には、ＬＥＤ灯色温度／色出力コントローラーの色温度値に予め設定した対応信号を備え、出力に必要なパワーをコントロールし、ＬＥＤ灯アレイに必要な色温度または色を発光させ、並びに、ロックした当該回のプッシュ動作をＬＥＤ灯出力状態メモリ内に記憶させ、電源が停止した後は、次に電源を起動する時、直接、記憶に基づいて前回起動状態の出力信号を駆動させ、停止または起動前後のＬＥＤ灯アレイの発光する色温度または色及び輝度は同様となることを特徴とする請求項１に記載の電源搬送波で色温度／色をコントロールするＬＥＤ灯駆動装置。
【請求項３】
前記ＬＥＤ灯アレイは、色温度／色出力コントローラーに設定した出力光の色温度に基づく四季灯であり、ＬＥＤ灯を二列に配列し、その内の一列を高い色温度のＬＥＤ灯とし、もう一列を低い色温度のＬＥＤ灯の配列とし、スイッチカウンタの選択により設定された出力光の色温度信号を用いて、ＬＥＤ灯色温度／色出力コントローラーに光線混合時に必要な色温度値を駆動させ、四季や気候の変化に合った状況を作り出す色の光線を提供することを特徴とする請求項１に記載の電源搬送波で色温度／色をコントロールするＬＥＤ灯駆動装置。
【請求項４】
前記ＬＥＤ灯アレイは、ＬＥＤ灯を高低色温度を混ぜ組み合わせた二列に配列し、尚且つこの二列のＬＥＤ灯を許容し、各列の数量は異なってもよく、調整変化した色温度を出力し、ＬＥＤ灯色温度／色出力コントローラーを駆動して設定値を出力させることにより、使用者の要求に応じた設定を出力させることを特徴とする請求項３に記載の電源搬送波で色温度／色をコントロールするＬＥＤ灯駆動装置。
【請求項５】
前記ＬＥＤ灯アレイは、ＬＥＤ灯を、赤色光ＬＥＤ灯一列、青色光ＬＥＤ灯一列、白色光ＬＥＤ灯一列の三列に編成配列し、ＬＥＤ灯色温度／色出力コントローラーの設定値を利用して、前記ＬＥＤ灯アレイに必要な色光線を組み合わせて発光させ、植物の栽培や動物の養殖に必要な色光線を提供し、その成長速度を向上させることを特徴とする請求項３に記載の電源搬送波で色温度／色をコントロールするＬＥＤ灯駆動装置。
【請求項６】
前記ＬＥＤ灯アレイは、ＬＥＤ灯を、赤色光一列、青色光一列、緑色光一列、白色光一列に編成配列し、前記で配列された四列は、スイッチカウンタ及び調光器モジュールを通して、ＬＥＤ灯色温度／色出力コントローラーが出力する設定値を制御し、並びに、ＬＥＤ灯アレイに組み合わせて設定した色光線を駆動し、テーマ式商業空間、家庭の雰囲気を醸し出す照明等の各種光線の要求に応じることを特徴とする請求項３に記載の電源搬送波で色温度／色をコントロールするＬＥＤ灯駆動装置。
【請求項７】
前記調光器モジュールが調光可能なＬＥＤ灯駆動回路を介して出力する信号と、スイッチカウンタがＬＥＤ灯色温度／色出力コントローラーを選択し駆動する出力信号は何れも、直接、電源搬送波が遠隔のＬＥＤ灯アレイに送信されて輝度変調及び色温度または色の変調を行うことを特徴とする請求項１に記載の電源搬送波で色温度／色をコントロールするＬＥＤ灯駆動装置。
【考案の詳細な説明】
【技術分野】
【０００１】
本考案は、電源搬送波で色温度／色をコントロールするＬＥＤ灯駆動装置に関し、特にＬＥＤ灯アレイから生じる色温度または色を調整してロックし、その後、調光器の輝度調整を行う装置で、色温度または色を変えずに維持させる技術分野に係る。
【背景技術】
【０００２】
照明の定義する色温度は、絶対温度００Ｋで表示される。即ち、−２７３℃の反射しない黒体を２００００Ｋまで加熱すると紅色光線を発し、３００００Ｋまで加熱するとオレンジ色が黄色に変わり、５００００Ｋまで加熱すると白色光となり、８００００Ｋまで加熱すると青色光となる。よって、温度が高くなるほど青色成分が多くなり、温度が低くなるほど紅色成分が多くなる。前述の現象は、色温度によって表示される。前述の照明の場面に応じ、季節感を表現することができる。例えば、夏には高い色温度（６００００Ｋ以上）の青みがかった色によって環境に冷たい感じを演出し、冬には低い色温度（３３０００Ｋ以下）の赤みがかった色によって暖かい感じを演出できる。春や秋には中ほどの色温度（３０００〜６００００Ｋ）の青色光によって快適な清涼感をもたらすことができる。また、研究報告によって明らかなように、有色光及び色温度は、特定の植物や動物の成長を助ける効果を有し、これは将来における発展方向の重点となるであろう。
【０００３】
本考案と同一出願者である特許文献１の実用新案第Ｍ４１６２９４号「ＬＥＤ灯の色温度を変換可能なコントローラー」は、電源スイッチまたは別に設置した制御スイッチを用いて、色温度変換器の出力信号を駆動してＬＥＤ灯の色温度を変え、同時に、調光器を用いて出力電流の大きさを制御してＬＥＤ灯の輝度を変調させることにより、ＬＥＤ灯の色温度、色、及び輝度をコントロールする。
【先行技術文献】
【特許文献】
【０００４】
【特許文献１】実用新案第Ｍ４１６２９４号明細書
【考案の概要】
【考案が解決しようとする課題】
【０００５】
本考案が解決しようとする課題は次のとおりである。
【０００６】
（１）前記色温度制御は、電源スイッチ（直線性スイッチ）のプッシュ回数により定位する位置を決め、ＬＥＤ灯アレイ内の異なる色温度や色を出力させるもので、更に調光器を用いて制御し、ＬＥＤ灯の輝度をコントロールする目標を達成する。直流源変換器を通して色温度変換器を駆動し予め設定した色温度値のパワー信号を出力することで、ＬＥＤ灯は必要な色の発光を行う。この時、調光器を用いて出力電流の調整をし、ＬＥＤ灯の輝度をコントロールしたなら、該調光器の信号は色温度変換器の駆動信号を妨害し、ＬＥＤ灯には点滅が発生する。
【０００７】
（２）前記色温度変換器は、調光器の電流位相角変調影響を減少させるためにＬＥＤ灯に点滅現象を起こさせ、色温度変換器に別に設置した制御スイッチによって色温度値の制御信号出力を独立して変化させる。
【課題を解決するための手段】
【０００８】
前記課題を解決するための手段を次に開示する。
【０００９】
（１）本考案は、調光器モジュールとＬＥＤ灯色温度／色出力コントローラーの間において、同期及び調光器動作検知モジュールが調光器モジュール１の動作かＯＮ／ＯＦＦスイッチ動作であるかを識別する。ＬＥＤ灯色温度／色出力コントローラーは、スイッチカウンタの選択した動作に基づき、色温度値の信号を出力し、ＬＥＤ灯アレイに環境が必要とする色温度または色を出力させる。輝度を変調させたい場合は、調光器モジュールが出力する位相角を調整変更し、調光可能なＬＥＤ灯駆動回路２を介して、交流信号を直流信号に変換し、出力電流の大きさを出力し、ＬＥＤ灯アレイの色温度または色の輝度をコントロールする。これにより、ＬＥＤ灯色温度／色出力コントローラーの出力する信号は、調光器モジュールの出力電流変更の影響を受けず、光源を発する際に安定した輝度変調機能を提供し、光源の点滅及び色、色温度の偏りを防ぐ。
【００１０】
（２）本考案は、電源スイッチカウンタのプッシュサイクル一周には必ずリセット機能（ＲＥＳＥＴ）が必要である。よって、各プッシュ動作には、ＬＥＤ灯色温度／色出力コントローラーの色温度値に予め設定した対応信号を備え、出力に必要な工率をコントロールし、ＬＥＤ灯アレイの発光に必要な色温度または色を駆動し、並びに、ロックしたプッシュ動作をＬＥＤ灯出力状態メモリ内に記憶させる。電源を停止後、次に電源を起動する時、直接、記憶に基づいて前回起動状態の出力信号を駆動させる。よって、停止または起動前後のＬＥＤ灯アレイの発光する色温度または色及び輝度は同様となる。
【００１１】
（３）本考案のＬＥＤ灯アレイは、色温度または色出力コントローラーに設定した出力光色温度に基づく四季灯としてもよく、ＬＥＤ灯を二列に配列し、その内の一列を高い色温度のＬＥＤ灯とし、もう一列を低い色温度のＬＥＤ灯の配列とした。スイッチカウンタの選択により設定される出力光色温度信号を利用し、前述の光線混合調整で必要とされる色温度を駆動し、四季や気候の変化に合った状況を作り出す色の光線を提供する。
【００１２】
（４）本考案のＬＥＤ灯アレイは、ＬＥＤ灯を高低色温度を混ぜ組み合わせた二列に配列したもので、尚且つこの二列のＬＥＤ灯を許容する。各列の数量は異なり、調整変化した色温度を出力する。ＬＥＤ灯色温度／色出力コントローラーは設定値を出力し、使用者の要求に応じた設定を行い出力する。
【００１３】
（５）本考案のＬＥＤ灯アレイは、ＬＥＤ灯を、一列の赤色光ＬＥＤ灯、一列の青色光ＬＥＤ灯、一列の白色光ＬＥＤ灯の三列に編成配列する。また、ＬＥＤ灯色温度／色出力コントローラーの設定値を利用して、前記ＬＥＤ灯アレイに必要な色光線を組み合わせて発光させ、植物の栽培や動物の養殖に必要な色光線を提供し、その成長速度を向上させる。
【００１４】
（６）本考案のＬＥＤ灯アレイは、ＬＥＤ灯を、一列の赤色光、一列の青色光、一列の緑色光、一列の白色光に編成配列する。前記で配列された四列は、スイッチカウンタ及び調光器モジュールを通して、ＬＥＤ灯色温度／色出力コントローラーが出力する設定値を制御し、並びに、ＬＥＤ灯アレイに配合して設定した色光線を駆動し、テーマ式商業空間、家庭の雰囲気を醸し出す照明等の各種光線の要求に応じる。
【考案の効果】
【００１５】
本考案の電源搬送波で色温度／色をコントロールするＬＥＤ灯駆動装置は、ＬＥＤ灯アレイから生じる色温度または色を調整してロックし、その後、調光器の輝度調整を行い、色温度または色を変えずに維持させる効果を達成する。
【図面の簡単な説明】
【００１６】
【図１】本考案装置のブロック図である。
【図２】本考案第一実施例のＬＥＤ灯アレイ装置図である。
【図３】本考案第二実施例のＬＥＤ灯アレイ装置図である。
【図４】本考案第三実施例のＬＥＤ灯アレイ装置図である。
【図５Ａ】本考案調光器モジュールのスイッチＯＮ／ＯＦＦ制御における、ＬＥＤ灯の色温度または色出力コントローラーの出力信号及びＬＥＤ灯の出力電流波形図である。
【図５Ｂ】本考案調光器モジュールを低位相角に調整時の出力パワー波形図である。
【図５Ｃ】本考案調光器モジュールを全位相角に調整時の出力パワー波形図である。
【図５Ｄ】図５Ｂが調光可能なＬＥＤ灯駆動回路を経て直流に変換された時の出力対比波形図である。
【図５Ｅ】図５Ｃが調光可能なＬＥＤ灯駆動回路を経て直流に変換された時の出力対比波形図である。
【図６Ａ】同期及び調光器動作検知モジュールがスイッチ直流信号をＬＥＤ灯の色温度または色出力コントローラーに出力し色温度値アドレスをロック後、ＬＥＤ灯出力状態メモリ内に書込み時の動作波形図である。
【図６Ｂ】同期及び調光器動作検知モジュールがスイッチ直流信号をＬＥＤ灯の色温度または色出力コントローラーに出力し、前回のＬＥＤ灯出力状態メモリに記憶した色温度または色値アドレスの読込後、当該回の信号アドレスをＬＥＤ灯出力状態メモリ内に書込み時の動作波形図である。
【図６Ｃ】スイッチカウンタがプッシュ回数を記録し、同期及び調光器動作検知モジュールのスイッチ直流信号をＬＥＤ灯色温度／色出力コントローラーに出力し、ＬＥＤ灯アレイを制御出力しアドレスを設定し発光時の出力電流波形図である。
【図６Ｄ】スイッチカウンタがプッシュ回数を記録し、同期及び調光器動作検知モジュールがスイッチ直流信号をＬＥＤ灯の色または色温度出力コントローラーに出力し、ＬＥＤ灯アレイを制御出力しアドレスを設定し発光時に異なる状態を示した全体工程の出力波形図である。
【考案を実施するための形態】
【００１７】
図１に示すとおり、本装置は、調光器モジュール１、調光可能なＬＥＤ灯駆動回路２、電源供給回路４、ＬＥＤ灯アレイ３、スイッチカウンタ５、同期及び調光器動作検知モジュール６、ＬＥＤ灯色温度／色出力コントローラー７、ＬＥＤ灯出力バッファ９を含む。
【００１８】
前記調光器モジュール１は、それぞれを調光可能なＬＥＤ灯駆動回路２及びスイッチカウンタ５の入力端に接続する。
【００１９】
前記調光可能なＬＥＤ灯駆動回路２は、その入力端をそれぞれ調光器モジュール１の出力端とスイッチカウンタ５の入力端に接続する。調光可能なＬＥＤ灯駆動回路２の出力端は、それぞれＬＥＤ灯アレイ３と電源供給回路４の入力端に接続する。
【００２０】
前記電源供給回路４は、その入力端をそれぞれ調光可能なＬＥＤ灯駆動回路２の出力端とＬＥＤ灯アレイ３の入力端に接続し、電源供給回路４の電源出力端をそれぞれスイッチカウンタ５、同期及び調光器動作検知モジュール６、ＬＥＤ灯色温度／色出力コントローラー７、ＬＥＤ灯出力状態メモリ８、及びＬＥＤ灯出力バッファ９の入力端に接続する。
【００２１】
前記ＬＥＤ灯アレイ３は、その入力端をそれぞれ調光可能なＬＥＤ灯駆動回路２の出力端と電源供給回路４の入力端に接続し、ＬＥＤ灯アレイ３の出力端をＬＥＤ灯出力バッファ９の入力端に接続する。
【００２２】
前記スイッチカウンタ５は、その入力端をそれぞれ調光器モジュール１の出力端と調光可能なＬＥＤ灯駆動回路２の入力端に接続し、スイッチカウンタ５の出力端をそれぞれＬＥＤ灯色温度／色出力コントローラー７及び同期及び調光器動作検知モジュール６の入力端に接続する。
【００２３】
前記同期及び調光器動作検知モジュール６は、その入力端をスイッチカウンタ５の出力端に接続し、同期及び調光器動作検知モジュール６の出力端をＬＥＤ灯色温度／色出力コントローラー７の入力端に接続する。
【００２４】
前記ＬＥＤ灯色温度及び色出力コントローラー７は、その入力端をそれぞれスイッチカウンタ５の他の一つの出力端及び同期及び調光器動作検知モジュール６の出力端に接続し、ＬＥＤ灯色温度／色出力コントローラー７のデータ送受信端はＬＥＤ灯出力状態メモリ８とＬＥＤ灯出力バッファ９の他の一つの入力端に接続する。前記ＬＥＤ灯色温度／色出力コントローラー７はＬＥＤ灯出力状態メモリ８に対するデータの読込／書込機能を備える。
【００２５】
前記ＬＥＤ灯出力バッファ９は、その入力端をそれぞれＬＥＤ灯アレイ３とＬＥＤ灯色温度／色出力コントローラー７の出力端に接続して、ＬＥＤ灯色温度／色出力コントローラー７の出力信号を受信し、ＬＥＤ灯アレイ３の色温度または色信号出力を制御する。
【００２６】
これにより、調光器モジュール１の起動または停止動作（図５Ａ参照）は、即ち図１のＡ出力点が測定する電源信号（図５Ａ参照）である。本考案は、調光器モジュール１と色温度／色出力コントローラー７の間において、同期及び調光器動作検知モジュール６がＯＮ／ＯＦＦスイッチカウンタ５の動作か調光器モジュール１の動作かを識別する。調光器モジュール１の動作が同時に色温度または色を調節する動作を許容しないためである。ＬＥＤ灯色温度／色出力コントローラー７はスイッチカウンタ５のプッシュ選択の動作に基づき、色温度値の信号を出力し（図１の出力点Ｃが電源信号を測定）、ＬＥＤ灯アレイ３は環境が必要とする色温度または色（図６Ａ〜Ｄ）を出力する。輝度を変調させたい場合は、調光器モジュール１が出力電流の位相角を変更し、出力電流の大きさを変える。調光可能なＬＥＤ灯駆動回路２は、交流を直流信号に変換し（図１の出力点Ｂで制御信号を測定）、ＬＥＤ灯アレイ３の色温度または色の輝度を変調する（図５Ｂ〜Ｅ）。よって、ＬＥＤ灯色温度／色出力コントローラー７の出力する信号は、調光器モジュール１の出力電流変更の影響を受けず、光源を発する際に安定した輝度変調機能を提供し、光源の点滅及び色、色温度の偏りを防ぐ。
【００２７】
図１及び図６Ａ〜Ｄに示すとおり、電源スイッチカウンタ５プッシュサイクル一周には必ずリセット機能（ＲＥＳＥＴ）が必要である（図６Ｄ参照）。よって、各プッシュ動作には、ＬＥＤ灯色温度／色出力コントローラー７の色温度値に予め設定した対応信号を備え、出力に必要なパワーをコントロールし、ＬＥＤ灯アレイ３に必要な色温度または色を発光させ、並びに、ロックした当該回のプッシュ動作をＬＥＤ灯出力状態メモリ８内に記憶させる。図１のＣ、Ｄ、Ｅ出力点が測定する電源信号（図６Ａ、Ｂ参照）によって、電源を停止した後、次に電源を起動する時、直接、記憶に基づいて前回起動状態の出力信号を駆動させる。よって、停止または起動前後のＬＥＤ灯アレイ３の発光する色温度または色及び輝度は同様となる（図６Ｃ、Ｄ参照）。
【００２８】
図１〜４に示すとおり、ＬＥＤ灯アレイ３は、ＬＥＤ灯色温度／色出力コントローラー７に設定した出力光色温度に基づく四季灯であり、ＬＥＤ灯を二列に配列し、その内の一列を高い色温度のＬＥＤ灯とし、もう一列を低い色温度の配列とした。スイッチカウンタ５の選択により設定された出力光色温度信号を用い、ＬＥＤ灯色温度／色出力コントローラー７に前述の光線混合に必要な色温度値を駆動させ、四季や気候の変化に合った状況を作り出す色の光線を提供する。
【００２９】
図１、図２に示すとおり、ＬＥＤ灯アレイ３は、ＬＥＤ灯を高低色温度を混ぜ組み合わせた二列に配列したもので、尚且つ二列のＬＥＤ灯を許容する。各列の数量は異なり、白色光を配合して変化させた色温度を出力し、ＬＥＤ灯色温度／色出力コントローラー７を駆動して設定値を出力させることにより、使用者に要求に応じた設定をし出力する。
【００３０】
図１、図３に示すとおり、ＬＥＤ灯アレイ３は、ＬＥＤ灯を、一列の赤色光ＬＥＤ灯、一列の青色光ＬＥＤ灯、一列の白色光ＬＥＤ灯の三列に編成配列する。また、ＬＥＤ灯色温度／色出力コントローラー７の設定値を利用して、前記ＬＥＤ灯アレイ３に必要な色光線を組み合わせて発光させ、植物の栽培や動物の養殖に必要な色光線を提供し、その成長速度を向上させる。
【００３１】
図１、図４に示すとおり、ＬＥＤ灯アレイ３は、ＬＥＤ灯を、一列の赤色光、一列の青色光、一列の緑色光、一列の白色光に編成配列する。前記で配列された四列は、スイッチカウンタ５及び調光器モジュール１を通して、ＬＥＤ灯色温度／色出力コントローラー７が出力する設定値を制御し、並びに、ＬＥＤ灯アレイ３に組み合わせて設定した色光線を駆動し、テーマ式商業空間、家庭の雰囲気を醸し出す照明等の各種光線の要求に応じる。
【００３２】
前述は制御信号によるもので、調光器モジュール１は調光可能なＬＥＤ灯駆動回路を介して信号を出力し、直接、電源搬送波を遠端のＬＥＤ灯３アレイに送信し輝度変調を行う。或いは、スイッチカウンタ５によってＬＥＤ灯色温度／色出力コントローラー７の出力信号を選択し駆動させ、ＬＥＤ灯３アレイの色温度または色変調をコントロールする。前述の二つは何れも二本の電力線を介して伝送し、前述した光、色温度、色調整効果を果たし、尚且つ点滅や色の偏りの問題を生じさせることがない。
【符号の説明】
【００３３】
１・・・調光器モジュール      ２・・・調光可能なＬＥＤ灯駆動回路
３・・・ＬＥＤ灯アレイ      ４・・・電源供給回路
５・・・スイッチカウンタ  ６・・・同期及び調光器動作検知モジュール
７・・・ＬＥＤ灯色温度／色出力コントローラー
８・・・ＬＥＤ灯出力状態メモリ      ９・・・ＬＥＤ灯出力バッファ
【図１】
0003177646.tif 000003
【図２】
0003177646.tif 000004
【図３】
0003177646.tif 000005
【図４】
0003177646.tif 000006
【図５Ａ】
0003177646.tif 000007
【図５Ｂ】
0003177646.tif 000008
【図５Ｃ】
0003177646.tif 000009
【図５Ｄ】
0003177646.tif 000010
【図５Ｅ】
0003177646.tif 000011
【図６Ａ】
0003177646.tif 000012
【図６Ｂ】
0003177646.tif 000013
【図６Ｃ】
0003177646.tif 000014
【図６Ｄ】
0003177646.tif 000015